【手続補正書】
【提出日】平成21年9月9日(2009.9.9)
【手続補正１】
【補正対象書類名】明細書
【補正対象項目名】００１１
【補正方法】変更
【補正の内容】
【００１１】
請求項１記載の発明は、少なくとも一方の平面に撮影レンズを設けた平板状の第１の本体筐体と、少なくとも一方の平面に表示部を設けた第２の本体筐体と、上記第１及び第２の本体筐体の各端面に対して取付けられてこれらを接続するとともに、上記第１及び第２の本体筐体とを回動自在に支持するヒンジ機構と、上記第１及び第２の本体筐体とヒンジ機構との角度が、上記第１の本体筐体の撮影レンズを設けていない平面と上記第２の本体筐体の表示部を設けていない平面が当接した第１の角度と、上記第１及び第２の本体筐体の上記ヒンジ機構を形成した端面と相対向する端面を下にした状態で自立が可能な上記第１の角度とは異なる第２の角度のうち、いずれの角度であるかを検出する検出手段と、上記検出手段により上記第１の角度が検出された場合には、シャッタ操作のタイミングで撮影記録を行う通常撮影モードへ移行し、上記検出手段により上記第２の角度が検出された場合には、シャッタ操作から一定時間経過後に撮影記録を行なうセルフタイマ撮影モードまたは撮影記録された複数の画像データを自動的に切り換えながら上記表示部で表示する再生モードへ移行するモード制御手段と、基本モードとして、記録モードと再生モードのいずれかを設定する基本モード設定手段と、を備え、上記モード制御手段は、上記検出手段により上記第２の角度が検出された場合であって、上記基本モード設定手段により記録モードが設定されている場合には、シャッタ操作から一定時間経過後に撮影記録を行なうセルフタイマ撮影モードに移行し、上記検出手段により上記第２の角度が検出された場合であって、上記基本モード設定手段により再生モードが設定されている場合には、撮影記録された複数の画像データを自動的に切り換えながら上記表示部で表示する再生モードへ移行することを特徴とする。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】変更
【補正の内容】
【００１３】
請求項２記載の発明は更に、上記第１及び第２の本体筐体の上記ヒンジ機構を形成した端面と相対向する端面に突出形成された滑り止め部を更に備え、上記第２の角度は、上記滑り止め部を利用した自立が可能な角度であることを特徴とする。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
請求項３記載の発明は更に、上記検出手段は、上記第１の角度と上記第２の角度の他、上記第１の本体筐体の撮影レンズを設けた平面と上記第２の本体筐体の表示部を設けた平面が当接した収納状態である第３の角度を検出し、上記モード制御手段は、上記検出手段により上記第３の角度が検出された場合には、上記通常撮影モード、上記セルフタイマ撮影モード及び上記再生モードのいずれの動作モードへも移行しないことを特徴とする。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】変更
【補正の内容】
【００１７】
請求項４記載の発明は更に、上記第１及び第２の本体筐体とヒンジ機構の少なくとも一方に設けられ、上記第２の角度において上記第１及び第２の本体筐体とヒンジ機構とを係合してクリック感を与える係合部をさらに備えたことを特徴とする。
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】変更
【補正の内容】
【００１９】
請求項５記載の発明は更に、上記ヒンジ機構は、上記第１及び第２の本体筐体をそれぞれ回動自在に支持する２軸構造を有し、上記滑り止め部は、上記第１及び第２の筐体の上記ヒンジ機構を形成した端面と相対向する各端面にそれぞれ少なくとも１個以上、且つ合計で３個以上突出形成されていることを特徴とする。
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】変更
【補正の内容】
【００２１】
請求項６記載の発明は更に、上記撮影レンズを用いた撮影で得る画像データを記録する記録手段をさらに具備し、上記再生モードは、上記記録手段に記録された画像データを上記表示部で表示する再生モードであることを特徴とする。
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】変更
【補正の内容】
【００２３】
請求項７記載の発明は、少なくとも一方の平面に撮影レンズを設けた平板状の第１の本体筐体と、なくとも一方の平面に表示部を設けた第２の本体筐体と、上記第１及び第２の筐体の各端面に対して取付けられてこれらを接続するとともに、上記第１及び第２の本体筐体とを回動自在に支持するヒンジ機構とを備えた携帯電子機器の動作制御方法であって、上記第１及び第２の本体筐体とヒンジ機構との角度が、上記第１の本体筐体の撮影レンズを設けていない平面と上記第２の本体筐体の表示部を設けていない平面が当接した第１の角度と、上記第１及び第２の本体筐体の上記ヒンジ機構を形成した端面と相対向する端面を下にした状態で自立が可能な上記第１の角度とは異なる第２の角度のうち、いずれの角度であるかを検出する検出工程と、上記検出工程により上記第１の角度が検出された場合には、シャッタ操作のタイミングで撮影記録を行う通常撮影モードへ移行し、上記検出工程により上記第２の角度が検出された場合には、シャッタ操作から一定時間経過後に撮影記録を行なうセルフタイマ撮影モードまたは撮影記録された複数の画像データを自動的に切り換えながら上記表示部で表示する再生モードへ移行するモード制御工程と、基本モードとして、記録モードと再生モードのいずれかを設定する基本モード設定工程と、を有し、上記モード制御工程は、上記検出工程により上記第２の角度が検出された場合であって、上記基本モード設定工程段により記録モードが設定されている場合には、シャッタ操作から一定時間経過後に撮影記録を行なうセルフタイマ撮影モードに移行し、上記検出手段により上記第２の角度が検出された場合であって、上記基本モード設定工程により再生モードが設定されている場合には、撮影記録された複数の画像データを自動的に切り換えながら上記表示部で表示する再生モードへ移行することを特徴とする。
【手続補正１４】
【補正対象書類名】明細書
【補正対象項目名】００２４
【補正方法】変更
【補正の内容】
【００２４】
請求項８記載の発明は、少なくとも一方の平面に撮影レンズを設けた平板状の第１の本体筐体と、なくとも一方の平面に表示部を設けた第２の本体筐体と、上記第１及び第２の筐体の各端面に対して取付けられてこれらを接続するとともに、上記第１及び第２の本体筐体とを回動自在に支持するヒンジ機構とを備えた携帯電子機器が内蔵するコンピュータが実行するプログラムであって、上記第１及び第２の本体筐体とヒンジ機構との角度が、上記第１の本体筐体の撮影レンズを設けていない平面と上記第２の本体筐体の表示部を設けていない平面が当接した第１の角度と、上記第１及び第２の本体筐体の上記ヒンジ機構を形成した端面と相対向する端面を下にした状態で自立が可能な上記第１の角度とは異なる第２の角度のうち、いずれの角度であるかを検出する検出ステップと、上記検出ステップにより上記第１の角度が検出された場合には、シャッタ操作のタイミングで撮影記録を行う通常撮影モードへ移行し、上記検出ステップにより上記第２の角度が検出された場合には、シャッタ操作から一定時間経過後に撮影記録を行なうセルフタイマ撮影モードまたは撮影記録された複数の画像データを自動的に切り換えながら上記表示部で表示する再生モードへ移行するモード制御ステップと、基本モードとして、記録モードと再生モードのいずれかを設定する基本モード設定ステップと、をコンピュータに実行させ、上記モード制御ステップは、上記検出ステップにより上記第２の角度が検出された場合であって、上記基本モード設定工ステップにより記録モードが設定されている場合には、シャッタ操作から一定時間経過後に撮影記録を行なうセルフタイマ撮影モードに移行し、上記検出ステップにより上記第２の角度が検出された場合であって、上記基本モード設定ステップにより再生モードが設定されている場合には、撮影記録された複数の画像データを自動的に切り換えながら上記表示部で表示する再生モードへ移行することを特徴とする。
【手続補正１５】
【補正対象書類名】明細書
【補正対象項目名】００２５
【補正方法】変更
【補正の内容】
【００２５】
本発明によれば、カメラ本体を手で保持して撮影を行う通常撮影モードと、カメラ本体を机上などに載置して使用する場合の動作モードとして、セルフタイマ撮影モードおよび自動再生モードとを含む複数の動作モードを備える携帯電子機器において、第１の本体筐体の撮影レンズを設けていない平面と第２の本体筐体の表示部を設けていない平面を当接させた状態が検出された場合には、上記通常撮影モードへと自動的に移行し、第１及び第２の本体筐体が断面「く」の字状となるように若干開いた状態が検出され、且つ、基本モードとして撮影モードが設定されている場合には、上記セルフタイマ撮影モードへと自動的に移行し、第１及び第２の本体筐体が断面「く」の字状となるように若干開いた状態が検出され、且つ、基本モードとして再生モードが設定されている場合には、上記自動的に表示画像を切り換える再生モードへと自動的に移行することができ、各動作モードに適した状態に機器を保持または載置するだけで、速やかに、基本モードの設定に応じた各種撮影や再生を行うことができる。
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】特許請求の範囲
【補正対象項目名】全文
【補正方法】変更
【補正の内容】
【特許請求の範囲】
【請求項１】
少なくとも一方の平面に撮影レンズを設けた平板状の第１の本体筐体と、
少なくとも一方の平面に表示部を設けた第２の本体筐体と、
上記第１及び第２の本体筐体の各端面に対して取付けられてこれらを接続するとともに、上記第１及び第２の本体筐体とを回動自在に支持するヒンジ機構と、
上記第１及び第２の本体筐体とヒンジ機構との角度が、上記第１の本体筐体の撮影レンズを設けていない平面と上記第２の本体筐体の表示部を設けていない平面が当接した第１の角度と、上記第１及び第２の本体筐体の上記ヒンジ機構を形成した端面と相対向する端面を下にした状態で自立が可能な上記第１の角度とは異なる第２の角度のうち、いずれの角度であるかを検出する検出手段と、
上記検出手段により上記第１の角度が検出された場合には、シャッタ操作のタイミングで撮影記録を行う通常撮影モードへ移行し、上記検出手段により上記第２の角度が検出された場合には、シャッタ操作から一定時間経過後に撮影記録を行なうセルフタイマ撮影モードまたは撮影記録された複数の画像データを自動的に切り換えながら上記表示部で表示する再生モードへ移行するモード制御手段と、
基本モードとして、記録モードと再生モードのいずれかを設定する基本モード設定手段と、
を備え、
上記モード制御手段は、上記検出手段により上記第２の角度が検出された場合であって、上記基本モード設定手段により記録モードが設定されている場合には、シャッタ操作から一定時間経過後に撮影記録を行なうセルフタイマ撮影モードに移行し、上記検出手段により上記第２の角度が検出された場合であって、上記基本モード設定手段により再生モードが設定されている場合には、撮影記録された複数の画像データを自動的に切り換えながら上記表示部で表示する再生モードへ移行することを特徴とする携帯電子機器。
【請求項２】
上記第１及び第２の本体筐体の上記ヒンジ機構を形成した端面と相対向する端面に突出形成された滑り止め部を更に備え、
上記第２の角度は、上記滑り止め部を利用した自立が可能な角度であることを特徴とする請求項１記載の携帯電子機器。
【請求項３】
上記検出手段は、上記第１の角度と上記第２の角度の他、上記第１の本体筐体の撮影レンズを設けた平面と上記第２の本体筐体の表示部を設けた平面が当接した収納状態である第３の角度を検出し、
上記モード制御手段は、上記検出手段により上記第３の角度が検出された場合には、上記通常撮影モード、上記セルフタイマ撮影モード及び上記再生モードのいずれの動作モードへも移行しないことを特徴とする請求項１または２に記載の携帯電子機器。
【請求項４】
上記第１及び第２の本体筐体とヒンジ機構の少なくとも一方に設けられ、上記第２の角度において上記第１及び第２の本体筐体とヒンジ機構とを係合してクリック感を与える係合部をさらに備えたことを特徴とする請求項１乃至３いずれか記載の携帯電子機器。
【請求項５】
上記ヒンジ機構は、上記第１及び第２の本体筐体をそれぞれ回動自在に支持する２軸構造を有し、
上記滑り止め部は、上記第１及び第２の筐体の上記ヒンジ機構を形成した端面と相対向する各端面にそれぞれ少なくとも１個以上、且つ合計で３個以上突出形成されていることを特徴とする請求項２乃至４いずれか記載の携帯電子機器。
【請求項６】
上記撮影レンズを用いた撮影で得る画像データを記録する記録手段をさらに具備し、
上記再生モードは、上記記録手段に記録された画像データを上記表示部で表示する再生モードであることを特徴とする請求項１乃至５いずれか記載の携帯電子機器。
【請求項７】
少なくとも一方の平面に撮影レンズを設けた平板状の第１の本体筐体と、少なくとも一方の平面に表示部を設けた第２の本体筐体と、上記第１及び第２の筐体の各端面に対して取付けられてこれらを接続するとともに、上記第１及び第２の本体筐体とを回動自在に支持するヒンジ機構とを備えた携帯電子機器の動作制御方法であって、
上記第１及び第２の本体筐体とヒンジ機構との角度が、上記第１の本体筐体の撮影レンズを設けていない平面と上記第２の本体筐体の表示部を設けていない平面が当接した第１の角度と、上記第１及び第２の本体筐体の上記ヒンジ機構を形成した端面と相対向する端面を下にした状態で自立が可能な上記第１の角度とは異なる第２の角度のうち、いずれの角度であるかを検出する検出工程と、
上記検出工程により上記第１の角度が検出された場合には、シャッタ操作のタイミングで撮影記録を行う通常撮影モードへ移行し、上記検出工程により上記第２の角度が検出された場合には、シャッタ操作から一定時間経過後に撮影記録を行なうセルフタイマ撮影モードまたは撮影記録された複数の画像データを自動的に切り換えながら上記表示部で表示する再生モードへ移行するモード制御工程と、
基本モードとして、記録モードと再生モードのいずれかを設定する基本モード設定工程と、
を有し、
上記モード制御工程は、上記検出工程により上記第２の角度が検出された場合であって、上記基本モード設定工程段により記録モードが設定されている場合には、シャッタ操作から一定時間経過後に撮影記録を行なうセルフタイマ撮影モードに移行し、上記検出手段により上記第２の角度が検出された場合であって、上記基本モード設定工程により再生モードが設定されている場合には、撮影記録された複数の画像データを自動的に切り換えながら上記表示部で表示する再生モードへ移行することを特徴とする携帯電子機器の動作制御方法。
【請求項８】
少なくとも一方の平面に撮影レンズを設けた平板状の第１の本体筐体と、少なくとも一方の平面に表示部を設けた第２の本体筐体と、上記第１及び第２の筐体の各端面に対して取付けられてこれらを接続するとともに、上記第１及び第２の本体筐体とを回動自在に支持するヒンジ機構とを備えた携帯電子機器が内蔵するコンピュータが実行するプログラムであって、
上記第１及び第２の本体筐体とヒンジ機構との角度が、上記第１の本体筐体の撮影レンズを設けていない平面と上記第２の本体筐体の表示部を設けていない平面が当接した第１の角度と、上記第１及び第２の本体筐体の上記ヒンジ機構を形成した端面と相対向する端面を下にした状態で自立が可能な上記第１の角度とは異なる第２の角度のうち、いずれの角度であるかを検出する検出ステップと、
上記検出ステップにより上記第１の角度が検出された場合には、シャッタ操作のタイミングで撮影記録を行う通常撮影モードへ移行し、上記検出ステップにより上記第２の角度が検出された場合には、シャッタ操作から一定時間経過後に撮影記録を行なうセルフタイマ撮影モードまたは撮影記録された複数の画像データを自動的に切り換えながら上記表示部で表示する再生モードへ移行するモード制御ステップと、
基本モードとして、記録モードと再生モードのいずれかを設定する基本モード設定ステップと、
をコンピュータに実行させ、
上記モード制御ステップは、上記検出ステップにより上記第２の角度が検出された場合であって、上記基本モード設定工ステップにより記録モードが設定されている場合には、シャッタ操作から一定時間経過後に撮影記録を行なうセルフタイマ撮影モードに移行し、上記検出ステップにより上記第２の角度が検出された場合であって、上記基本モード設定ステップにより再生モードが設定されている場合には、撮影記録された複数の画像データを自動的に切り換えながら上記表示部で表示する再生モードへ移行することを特徴とするプログラム。